【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
第１のアンテナを通して信号を送信することと、
基地局からの信号送信に関係するフィードバックを受信することと、
フィードバックの関数として、第１のアンテナか、第２のアンテナかを選択することと、
選択されたアンテナを通して信号を送信することとを含む通信方法であって、
フィードバックが、第１のアンテナを通る信号送信の品質に関係するパラメータを含み、パラメータが、電力制御信号を含み、電力制御信号が、第１のアンテナを通る信号送信の品質が第１の閾値よりも低いときは、信号送信電力を増加する要求と、第１のアンテナを通る信号送信の品質が第２の閾値よりも高いときは、信号送信電力を低減する要求とを含み、電力制御信号が信号送信電力を低減する要求を含むときは、第１のアンテナが選択される通信方法。
【請求項２】
第１の閾値が第２の閾値と等しい請求項１記載の方法。
【請求項３】
第１のアンテナを通して信号を送信することと、
基地局からの信号送信に関係するフィードバックを受信することと、
フィードバックの関数として、第１のアンテナか、第２のアンテナかを選択することと、
選択されたアンテナを通して信号を送信することとを含む通信方法であって、
フィードバックが、第１のアンテナを通る信号送信の品質に関係するパラメータを含み、パラメータが、電力制御信号を含み、電力制御信号が、第１のアンテナを通る信号送信の品質が第１の閾値よりも低いときは、信号送信電力を増加する要求と、第１のアンテナを通る信号送信の品質が第２の閾値よりも高いときは、信号送信電力を低減する要求とを含み、電力制御信号が信号送信電力を増加する要求を含むときは、第２のアンテナが選択される通信方法。
【請求項４】
第１のスイッチによって送信機を第１のアンテナに接続し、第２のスイッチを用いて送信機を第２のアンテナから切断することによって、第１のアンテナが選択され、第１のスイッチを用いて第１のアンテナから送信機を切断し、第２のスイッチによって送信機を第２のアンテナに接続することによって、第２のアンテナが選択される請求項１記載の方法。
【請求項５】
第１および第２のアンテナを通して信号を受信することをさらに含む請求項１記載の方法。
【請求項６】
受信信号がフィードバックを含む請求項５記載の方法。
【請求項７】
信号を送信するのに適応した第１および第２のアンテナと、
基地局からの、信号送信に関係するフィードバックに応答するアンテナ選択モジュールと、
アンテナ選択モジュールの制御のもとで、第１のアンテナか、第２のアンテナかに選択的に接続される送信機とを含む通信装置であって、
フィードバックが、信号送信の品質に関係するパラメータを含み、パラメータが電力制御信号を含み、送信機が、電力制御信号に応答する利得を含み、電力制御信号が、第１のアンテナを通る信号送信に応答して、送信機の利得を増加する要求を含むとき、アンテナ選択モジュールが、送信機を第１のアンテナから第２のアンテナへ切換えるように構成されている通信装置。
【請求項８】
送信機と第1のアンテナとの間の第１のスイッチと、送信機と第２のアンテナとの間の第２のスイッチとをさらに含む請求項７記載の通信装置。
【請求項９】
アンテナ選択モジュールが、第１のスイッチを閉じ、第２のスイッチを開いて、送信機を第１のアンテナに接続するように構成されている請求項８記載の通信装置。
【請求項１０】
アンテナ選択モジュールが、第１のスイッチを開き、第２のスイッチを閉じて、送信機を第２のアンテナに接続するように構成されている請求項８記載の通信装置。
【請求項１１】
電力制御信号が、信号送信の品質が第１の閾値よりも低いときは、送信機の利得を増加する要求と、信号送信の品質が第２の閾値よりも高いときは、送信機の利得を低減する要求とを含む請求項７記載の通信装置。
【請求項１２】
第１の閾値が第２の閾値と等しい請求項１１記載の通信装置。
【請求項１３】
信号を送信するのに適応した第１および第２のアンテナと、
基地局からの、信号送信に関係するフィードバックに応答するアンテナ選択モジュールと、
アンテナ選択モジュールの制御のもとで、第１のアンテナか、第２のアンテナかに選択的に接続される送信機とを含む通信装置であって、フィードバックが、信号送信の品質に関係するパラメータを含み、パラメータが電力制御信号を含み、送信機が、電力制御信号に応答する利得を含み、電力制御信号が、第１のアンテナを通る信号送信に応答して、送信機の利得を低減する要求を含むとき、アンテナ選択モジュールが、送信機と第１のアンテナとの接続を維持するように構成されている通信装置。
【請求項１４】
第１および第２のアンテナに接続された受信機をさらに含む請求項７記載の通信装置。
【請求項１５】
受信機が、基地局からの信号を受信するように構成されていて、受信信号がフィードバックを含む請求項１４記載の通信装置。
【請求項１６】
受信機に接続された復調器であって、受信信号からフィードバックを復元し、復元されたフィードバックをアンテナ選択モジュールに与えるように構成された復調器をさらに含む請求項１５記載の通信装置。
【請求項１７】
第１のアンテナに接続された第１のデュープレクサ、送信機と第１のデュープレクサとの間に配置された第１のスイッチ、第２のアンテナに接続された第２のデュープレクサ、送信機と第２のデュープレクサとの間に配置された第２のスイッチ、および第１と第２のデュープレクサに接続された受信機をさらに含み、アンテナ選択モジュールが、第１および第２のスイッチを制御することによって、送信機を、第１のアンテナか、第２のアンテナかに選択的に接続するように構成されている請求項７記載の通信装置。
【請求項１８】
方法を行うプロセッサによって実行可能な命令を具体化するコンピュータ読み出し可能媒体であって、方法が、
基地局からの信号送信に関係するフィードバックを受信することと、
フィードバックの関数として、第１のアンテナか、第２のアンテナかを選択することと、
送信機を選択されたアンテナに接続する信号を生成することとを含み、
フィードバックが信号送信の品質に関係するパラメータを含み、パラメータが電力制御信号を含み、電力制御信号が、第１のアンテナを通る信号送信の品質が第１の閾値よりも低いときは、信号送信電力を増加する要求と、第１のアンテナを通る信号送信の品質が第２の閾値よりも高いときは、信号送信電力を低減する要求とを含み、フィードバックが、第１のアンテナからの送信に基づき、電力制御信号が、信号送信電力を低減する要求を含むときは、選択されたアンテナが、第１のアンテナを含むコンピュータ読み出し可能媒体。
【請求項１９】
第１の閾値が第２の閾値と等しい請求項１８記載のコンピュータ読み出し可能媒体。
【請求項２０】
方法を行うプロセッサによって実行可能な命令を具体化するコンピュータ読み出し可能媒体であって、方法が、
基地局からの信号送信に関係するフィードバックを受信することと、
フィードバックの関数として、第１のアンテナか、第２のアンテナかを選択することと、
送信機を選択されたアンテナに接続する信号を生成することとを含み、フィードバックが信号送信の品質に関係するパラメータを含み、パラメータが電力制御信号を含み、電力制御信号が、第１のアンテナを通る信号送信の品質が第１の閾値よりも低いときは、信号送信電力を増加する要求と、第１のアンテナを通る信号送信の品質が第２の閾値よりも高いときは、信号送信電力を低減する要求とを含み、フィードバックが、第１のアンテナからの送信に基づき、電力制御信号が、信号送信電力を増加する要求を含むときは、選択されたアンテナが、第２のアンテナを含むコンピュータ読み出し可能媒体。
【請求項２１】
第１および第２のアンテナと、
基地局から受信した、信号送信に関係するフィードバックの関数として、第１のアンテナか、第２のアンテナかを選択する手段と、
送信機と、
送信機を選択されたアンテナに接続する手段とを含む通信装置であって、
フィードバックが、信号送信の品質に関係するパラメータを含み、パラメータが、電力制御信号を含み、送信機が、電力制御信号に応答する利得を含み、電力制御信号が、信号送信の品質が第１の閾値よりも低いときは、送信機の利得を増加する要求と、信号送信の品質が第２の閾値よりも高いときは、送信機の利得を低減する要求とを含み、電力制御信号が、第１のアンテナを通る信号送信に応答して、送信機の利得を増加する要求を含むとき、第１のアンテナか、第２のアンテナかを選択する手段が、第２のアンテナを選択するように構成されている通信装置。
【請求項２２】
送信機を選択されたアンテナに接続する手段が、送信機と第１のアンテナとの間の第１のスイッチと、送信機と第２のアンテナとの間の第２のスイッチとを含む請求項２１記載の通信装置。
【請求項２３】
第１の閾値が第２の閾値と等しい請求項２１記載の通信装置。
【請求項２４】
第１および第２のアンテナと、
基地局から受信した、信号送信に関係するフィードバックの関数として、第１のアンテナか、第２のアンテナかを選択する手段と、
送信機と、
送信機を選択されたアンテナに接続する手段とを含む通信装置であって、
フィードバックが、信号送信の品質に関係するパラメータを含み、パラメータが、電力制御信号を含み、送信機が、電力制御信号に応答する利得を含み、電力制御信号が、信号送信の品質が第１の閾値よりも低いときは、送信機の利得を増加する要求と、信号送信の品質が第２の閾値よりも高いときは、送信機の利得を低減する要求とを含み、電力制御信号が、第１のアンテナを通る信号送信に応答して、送信機の利得を低減する要求を含むとき、第１のアンテナか、第２のアンテナかを選択する手段が、第１のアンテナを選択するように構成されている通信装置。
【請求項２５】
第１および第２のアンテナに接続された受信機をさらに含む請求項２１記載の通信装置。
【請求項２６】
受信機が、基地局から信号を受信するように構成されていて、受信信号がフィードバックを含む請求項２５記載の通信装置。
【請求項２７】
受信信号からフィードバックを復元する手段をさらに含む請求項２６記載の通信装置。